(57)【要約】【課題】融雪用薬剤により溶解して脆弱化することなく、配設されて自然と調和し、かつ製作および修繕に要するコストを低減できると共に取付作業も容易で、さらに腐食等による損傷が抑制されてより長期使用可能な境界ブロックを提供する。【解決手段】本発明の境界ブロック１は、複数の木製板材２を垂直方向に積載して形成された木製ブロック体３を有し、内部にはアンカーボルト挿通孔４が設けられており、予め基礎５に立設固定したアンカーボルト６をアンカーボルト挿通孔４内に挿通させ上部をナット７にて固定することにより基礎５に木製ブロック体３が配設された境界ブロックであって、木製ブロック体３の下面３ａと基礎５の上面５ａとの間には部分的にスペーサー８が配されて離間している。このため、木製ブロック体３の下面３ａの乾燥状態が構造的に担保され腐食が抑制されてより長期使用が可能となる。【選択図】図２
2009007852.tif 000002
【特許請求の範囲】
【請求項１】
複数の木製板材を垂直方向に積載して形成された木製ブロック体を有し、該木製ブロック体内部には、上部付近から下面に貫通するアンカーボルト挿通孔が設けられており、予め基礎に立設固定したアンカーボルトを前記アンカーボルト挿通孔内に挿通させ該アンカーボルトの上部をナットにて固定することにより前記基礎に前記木製ブロック体が配設された境界ブロックであって、前記木製ブロック体の下面と前記基礎の上面との間には部分的にスペーサーが配されて前記木製ブロック体の下面と前記基礎の上面とが離間していることを特徴とする境界ブロック。
【請求項２】
前記基礎の上面には、前記アンカーボルトの立設部位から端部にかけて水捌け用凹条溝が設けられている請求項１に記載の境界ブロック。
【請求項３】
前記境界ブロックは、前記木製ブロック体の一側面側に土砂が配される境界ブロックであって、当該木製ブロック体の一側面には樹脂製シートが貼付されている請求項１または２に記載の境界ブロック。
【請求項４】
前記木製ブロック体の上面は傾斜面に形成されている請求項１ないし３のいずれかに記載の境界ブロック。
【発明の詳細な説明】
【技術分野】
【０００１】
本発明は、例えば道路における歩道または中央分離帯と車道との境界、各種施設（病院、公園、駅前ロータリー、高速サービスエリア等）内における駐車場と進入車道との境界、或いは各種施設内において花壇等を区画するために配設される境界ブロックに関する。
【背景技術】
【０００２】
従来より、道路や各種施設内に配設される境界ブロックとして、コンクリート製のいわゆる縁石が多用されているが、寒冷地では融雪用に撒布される薬剤（塩化カルシウム等）の影響でコンクリートが溶解し脆弱化することが懸案となっている。また、地球温暖化を抑制する観点からコンクリート製品に比してＣＯ２排出量を低減できると共に近年の自然志向を背景に景観等自然に調和する木製境界ブロックが嘱望されている。
本願出願人は、そのような現況に鑑みて、先に、融雪用薬剤により溶解して脆弱化することなく、配設されて自然と調和し、かつ製作および修繕に要するコストを低減できると共に、取付作業が容易な木製境界ブロック（特開平１１−６１０４号公報）を提案した。
【特許文献１】特開平１１−６１０４号公報
【発明の開示】
【発明が解決しようとする課題】
【０００３】
この木製境界ブロックは、ブロック体を構成する複数の木製板材に防腐処理が施されているため、雪雨に晒されても容易に腐食することはないが、長期間使用されるとより腐食し易い部位が存在することが明らかになった。本発明は、そのような腐食し易い部位を構造的に解消することで、より長期使用に耐え得る木製境界ブロックを想起したものであり、すなわち、本発明の課題は、融雪用薬剤により溶解して脆弱化することなく、配設されて自然と調和し、かつ製作および修繕に要するコストを低減できると共に取付作業も容易で、さらに腐食等による損傷が抑制されてより長期使用可能な境界ブロックを提供することにある。
【課題を解決するための手段】
【０００４】
上記課題を解決するものは、複数の木製板材を垂直方向に積載して形成された木製ブロック体を有し、該木製ブロック体内部には、上部付近から下面に貫通するアンカーボルト挿通孔が設けられており、予め基礎に立設固定したアンカーボルトを前記アンカーボルト挿通孔内に挿通させ該アンカーボルトの上部をナットにて固定することにより前記基礎に前記木製ブロック体が配設された境界ブロックであって、前記木製ブロック体の下面と前記基礎の上面との間には部分的にスペーサーが配されて前記木製ブロック体の下面と前記基礎の上面とが離間していることを特徴とする境界ブロックである。
【０００５】
前記基礎の上面には、前記アンカーボルトの立設部位から端部にかけて水捌け用凹条溝が設けられていることが好ましい。前記境界ブロックは、前記木製ブロック体の一側面側に土砂が配される境界ブロックであって、当該木製ブロック体の一側面には樹脂製シートが貼付されていることが好ましい。前記木製ブロック体の上面は傾斜面に形成されていることが好ましい。
【発明の効果】
【０００６】
請求項１ないし４に記載の発明によれば、融雪用薬剤により溶解して脆弱化することなく、配設されて自然と調和し、かつ製作および修繕に要するコストを低減できると共に取付作業も容易で、さらに腐食等による損傷がより抑制されて長期使用可能となる。
【発明を実施するための最良の形態】
【０００７】
本発明では、図２に示すように、木製ブロック体３の下面３ａと基礎５の上面５ａとを離間させることで、木製ブロック体３の腐食を抑制しより長期使用可能な境界ブロック１を実現した。
【実施例１】
【０００８】
図１は本発明の境界ブロックの側面図であり、図２は図１のＡ−Ａ線断面図であり、図３は図１のＢ−Ｂ線断面図であり、図４は図１に示した境界ブロックの斜視分解図である。
【０００９】
この実施例の境界ブロック１は、複数の木製板材２を垂直方向に積載して形成された木製ブロック体３を有し、木製ブロック体３内部には、上部付近から下面３ａに貫通するアンカーボルト挿通孔４が設けられており、予め基礎５に立設固定したアンカーボルト６をアンカーボルト挿通孔４内に挿通させアンカーボルト６の上部をナット７にて固定することにより基礎５に木製ブロック体３が配設された境界ブロックであって、木製ブロック体３の下面３ａと基礎５の上面５ａとの間には部分的にスペーサー８が配されて木製ブロック体３の下面３ａと基礎５の上面５ａとが離間していることを特徴とする境界ブロックである。以下、各構成について順次詳述する。
【００１０】
木製ブロック体３は、図１または図２に示すように、複数の木製板材２ａ，２ｂ，２ｃを重ね合わせて形成されており、内部には、上部付近より下面３ａに貫通するアンカーボルト挿通孔４と、上部付近に設けられたナット固定用空間９が設けられている。
【００１１】
具体的には、この実施例の木製板材２は、最上部に配置された第１の木製板材２ａと、最下部に配置された第２の木製板材２ｂと、中央部に隣接して３段に渡って配置された３枚の第３の木製板材２ｃとからなっている。そして、これらが順次垂直方向に重ね合わされて（積載されて）全体として１つの木製ブロック体３を形成している。
【００１２】
第１の木製板材２ａは、厚さ４５ｍｍ×幅２００ｍｍ×長さ１８００ｍｍの寸法に形成されており、上部左右両側には面取りが施されると共に、上面は傾斜面に形成されている。木製ブロック体３の上面が傾斜面になることによって、雨水などが上面に溜まることなく流れ落ちるため、木製ブロック体３の損傷がより抑制される。なお、この実施例の上面は、中央付近より両側に向かってそれぞれ下り傾斜面に形成されているが、一側方に向かう傾斜面に形成されていてもよい。
【００１３】
また、第２の木製板材２ｂは、厚さ５０ｍｍ×幅２００ｍｍ×長さ１８００ｍｍの寸法に形成されており、第３の木製板材２ｃは、厚さ３５ｍｍ×幅１００ｍｍ×長さ１８００ｍｍの寸法に形成されている。
【００１４】
なお、この実施例の境界ブロックは計５枚の木製板材からなっているが、複数であれば何枚であってもよく、さらに、各木製板材の寸法も適宜設計変更可能であり、例えば、全ての木製板材の寸法が同一のもので構成されていてもよい。
【００１５】
このように、本発明の境界ブロックは、複数の木製板材より形成されているので、安価な小径木や集成材を活用することができ、また一部が損傷した場合でも部分的に取り替え可能であるため、製作および修繕に要するコストを低減できる。特に、この実施例のように、中間部に配置される木製板材として幅寸法の小さな板材を使用し、その上下に幅広の板材を配置すれば、中間部においてより安価な小径木を活用できる。
【００１６】
木製板材としては、から松、檜、椹、杉などの針葉樹が好適に使用できるが、特に戦後、主として電柱の構成材として大量に植林され、現在では用途が極めて少なく放置されがちな唐松を使用すれば木資源の有効利用を図ることができる。
【００１７】
木製ブロック体３の内部には、上部付近より下面３ａに貫通するアンカーボルト挿通孔４が穿孔されている。このアンカーボルト挿通孔４は、境界ブロック１の配設に際してアンカーボルト６を挿通させる部位であり、木製ブロック体３の中央付近において垂直方向に延在して設けられている。
【００１８】
この実施例の境界ブロック１は、図１に示すように、アンカーボルト６を長手方向の両端付近に２箇所挿嵌して配設するものであるため、それに対応させてアンカーボルト挿通孔４も長手方向の両端付近に２箇所形成されている。ただし、アンカーボルト挿通孔４の形成部位はこれに限定されるものではなく、基礎５に立設されるアンカーボルトの本数および部位に対応させて適宜設計変更可能である。
【００１９】
また、木製ブロック体３内の上部には、ナット固定用空間９が設けられている。このナット固定用空間９は、境界ブロック１の配設に際してアンカーボルト６の上部をナット７で固定するための空間である。
【００２０】
そして、木製ブロック体３の下面３ａと基礎５の上面５ａとの間には、図１または図２に示すように、部分的にスペーサー８が配されており、木製ブロック体３の下面３ａと基礎５の上面５ａとが離間するように構成されている。これは、境界ブロック１が、木製ブロック体３と基礎５との境界面に水や菌が付きやすく最も腐食しやすいからであり、この部位にスペーサー８を配することで、木製ブロック体３の下面３ａを基礎５の上面５ａから浮上させ、木製ブロック体３の下面３ａの乾燥状態を維持し腐食を防止するためである。
【００２１】
具体的には、この実施例のスペーサー８は、真鍮製鋲が用いられており、この真鍮製鋲は木製ブロック体３の重量によって小さなスペースでも潰れない強度を有すると共に錆びることもなくより好適である。また、この実施例のスペーサーは、図１または図３に示すように、木製ブロック体３の長手方向の両側および中央付近にそれぞれ３個計９個設けられており、真鍮製鋲８の鋭利部が木製板材２ｂの下面に穿刺されることにより、木製ブロック体３の下面または底面３ａに配され、真鍮製鋲８の頭部にて木製ブロック体３の下面３ａと基礎５の上面５ａとの離間状態が保持される。
【００２２】
なお、スペーサー（間隔保持部材）としては、真鍮製鋲に限定されるものではなく、木製ブロック体３の下面３ａと基礎５の上面５ａとを長期に渡って離間可能なものであればどようなものでもよい。また、木製ブロック体３の下面３ａと基礎５の上面５ａ離間距離は、両者間の風通しを確保できればよく３〜５ｍｍ程度が好適である。
【００２３】
さらに、この実施例の基礎５の上面５ａには、図４に示すように、アンカーボルト６の立設部位から端部にかけて水捌け用凹条溝１１が設けられている。これは、ナット固定用空間９内にはモルタル１０を充填するが、経時変化によってモルタル１０が収縮して水分がナット固定用空間９内に流入し、アンカーボルト挿通孔４内に溜まって腐食の原因となるからであり、アンカーボルト６を伝わって流れる水分を水捌け用凹条溝１１を介して外部に排出させるための部位である。
【００２４】
具体的には、この実施例の水捌け用凹条溝１１は、アンカーボルト６の立設部位から両端部に向けてＶ字型に形成されており、この両端部が低地側に位置するように形成される。なお、例えば境界ブロック１が全くの平坦地に配設される場合などは、アンカーボルト６の立設部位から長手方向に直交する方向に水捌け用凹条溝１１を設け、かつ両端部に向かうにつれて溝が深くなるように形成してもよい。
【００２５】
つぎに、本発明の境界ブロック１の配設（取付施工）方法について説明する。
境界ブロック１は、道路における歩道または中央分離帯と車道との境界、各種施設（病院、公園、駅前ロータリー、高速サービスエリア等）内における駐車場と進入車道との境界など、或いは各種施設内において花壇等を区画するために適宜必要部位に配設される。
【００２６】
配設に際しては、まず基礎形成として、砕石層（図示しない）を形成した後、図４に示すように、その上方にコンクリートを打設して基礎５を形成する。コンクリートの打設に際しては、アンカーボルト６を立設固定すると共に、基礎５の上面５ａに、アンカーボルト６の立設部位から端部にかけて水捌け用凹条溝１１を形成する。
【００２７】
コンクリートが硬化して基礎５が形成された後、木製ブロック体３を基礎５の上部に載置する。この載置はアンカーボルト挿通孔４内にアンカーボルト６が挿嵌されるようにして行う。
【００２８】
なお、木製ブロック体３は、複数の木製板材２を所要寸法に形成する工程と、複数の木製板材２を重ね合わせてブロック体を構成する工程と、ブロック体内部にアンカーボルト挿通孔４を形成する工程と、木製板材２を防腐処理する工程と、ブロック体を表面処理する工程と、木製ブロック体３の下面にスペーサー８を配する工程とを経て作製される。
【００２９】
そして、基礎５の上部に木製ブロック体３を載置した後、アンカーボルト６の上部に設けられた螺合部にナット７を螺合させ座金を介して堅結固定する。この状態でナット固定用空間９内にモルタル１０を充填して硬化させ配設が完了する。
【００３０】
さらに、図５に示した本発明の境界ブロックの他の実施例について説明する。この実施例の境界ブロック２０と前述した境界ブロック１との相違は、境界ブロック２０が木製ブロック体３の一側面側に土砂が配される境界ブロック（例えば、花壇構成用境界ブロック或いはマウンドアップ歩道構成用境界ブロック）であって、木製ブロック体３の一側面に樹脂製シート２１が貼付されている点のみであり他は同じである。境界ブロック１と同一構成部分には同一符号を付し説明を省略する。
【００３１】
具体的には、花壇構成用境界ブロック或いはマウンドアップ歩道構成用境界ブロックは、通常、木製ブロック体３の一側面側が土砂と接触しているため腐食しやすい。このため、この実施例の境界ブロック２０の木製ブロック体３の一側面側には、例えばオレフィン系樹脂シート２１が接着剤にて貼付されて、木製ブロック体３の一側面側が土砂と接触しないように構成されている。
【００３２】
以上のように、本発明の境界ブロックは、木製ブロック体がより腐食しない構造を多々採用することで、より長期使用可能な木製境界ブロックを実現した。
【図面の簡単な説明】
【００３３】
【図１】本発明の境界ブロックの側面図である。
【図２】図１のＡ−Ａ線拡大断面図である。
【図３】図１のＢ−Ｂ線拡大断面図である。
【図４】図１に示した境界ブロックの斜視分解図である。
【図５】本発明の境界ブロックの他の実施例の縦断面図である。
【符号の説明】
【００３４】
１    境界ブロック
２    木製板材
３    木製ブロック体
４    アンカーボルト挿通孔
５    基礎
６    アンカーボルト
７    ナット
８    スペーサー
９    ナット固定用空間
１０  モルタル
１１  水捌け用凹条溝
２１  樹脂製シート
【図１】
2009007852.tif 000003
【図２】
2009007852.tif 000004
【図３】
2009007852.tif 000005
【図４】
2009007852.tif 000006
【図５】
2009007852.tif 000007